(57)【要約】【課題】インク容器と印字ヘッドの配置位置に関係無く、印字ヘッド内のインクに作用する圧力を適正な範囲内に保てるインク供給装置を提供する。【解決手段】サブタンク８０と印字ヘッド２２Ｋは、２つのインク流路６４，６６で接続されている。インク流路６４には、サブタンク８０と液室２２Ｋｒの間でインクを循環させる循環ポンプ６８が取り付けられている。循環ポンプ６８を駆動させることにより、サブタンク８０内のインクは、インク流路６６を通って液室２２Ｋｒに流れ込み、さらに液室２２Ｋｒからインク流路６４を通ってサブタンク８０に戻り、さらに、インク流路６６に流れ込んで循環する。この場合、循環ポンプ６８の流量（循環するインクの流量）を調整して印字ヘッド２２Ｋに作用する圧力を増減させる。【選択図】図３
2006159811.tif 000002
【特許請求の範囲】
【請求項１】
インクを吐出するノズル及びこのノズルに連通する液室が形成された印字ヘッドの前記液室に供給されるインクが貯められるインク容器を備え、前記インク容器から前記液室にインクを供給するインク供給装置において、
前記インク容器と前記液室を循環するインクが流れるインク循環路と、
該インク循環路にインクを循環させる循環ポンプとを備えたことを特徴とするインク供給装置。
【請求項２】
前記循環ポンプは、
前記インク循環路に配置されたものであることを特徴とする請求項１に記載のインク供給装置。
【請求項３】
前記インク循環路は、
前記インク容器と前記液室とを接続する第１インク循環路と、
この第１インク循環路が接続された部分とは異なる部分で前記インク容器と前記液室とを接続する第２インク循環路とを有するものであることを特徴とする請求項１又は２に記載のインク供給装置。
【請求項４】
前記第１インク循環路を開閉する開閉バルブを備えたことを特徴とする請求項３に記載のインク供給装置。
【請求項５】
前記循環ポンプは、前記第１インク循環路に配置されたものであること請求項３又は４に記載のインク供給装置。
【請求項６】
前記第２インク循環路を開閉する開閉バルブを備えたことを特徴とする請求項３，４，又は５に記載のインク供給装置。
【請求項７】
前記循環ポンプは、正逆転していずれの方向にもインクを循環させるものであることを特徴とする請求項１から６までのうちのいずれか一項に記載のインク供給装置。
【請求項８】
前記循環ポンプは、ギアポンプ又はチューブポンプであることを特徴とする請求項１から請求項７までのうちのいずれか一項に記載のインク供給装置。
【請求項９】
前記循環ポンプは、前記インク循環路を循環させるインクの量を変更するものであることを特徴とする請求項１から８までのうちのいずれか一項に記載のインク供給装置。
【請求項１０】
前記液室内のインクに作用している圧力を検出する圧力検出センサを備え、
前記循環ポンプは、
前記圧力検出センサで検出された圧力に基づいて、前記インク循環路を循環させるインクの量を変更するものであることを特徴とする請求項９に記載のインク供給装置。
【請求項１１】
前記循環ポンプは、
前記印字ヘッドから吐出されるインクの単位時間当たりの量に基づいて、前記インク循環路を循環させるインクの量を変更するものであることを特徴とする請求項９に記載のインク供給装置。
【請求項１２】
前記インク容器は、
前記インク容器に貯められたインクの液面が前記印字ヘッドの前記ノズルのインク吐出口よりも上方に位置するように配置されたものであることを特徴とする請求項１から１１までのうちのいずれか一項に記載のインク供給装置。
【請求項１３】
インクを吐出するノズル及びこのノズルに連通する液室が形成された印字ヘッドの前記液室に供給されるインクが貯められるインク容器を備え、前記インク容器から前記液室にインクを供給するインク供給装置における、前記印字ヘッドに圧力を発生させる圧力発生方法において、
前記インク容器と前記液室との間でインクを循環させることにより前記印字ヘッドに圧力を発生させることを特徴とする圧力発生方法。
【請求項１４】
循環させるインクの量を変更することにより、発生させる圧力を変更することを特徴とする請求項１３に記載の圧力発生方法。
【請求項１５】
インクが循環するインク循環路を、前記インク容器と前記液室とを接続する第１インク循環路と、この第１インク循環路が接続された部分とは異なる部分で前記インク容器と前記液室とを接続する第２インク循環路とで構成すると共に、前記第１インク循環路及び前記第２インク循環路にインクを循環させる循環ポンプを配置しておき、
該循環ポンプを駆動させることにより、前記第１インク循環路及び前記第２インク循環路にインクを循環させることを特徴とする請求項１３又は１４に記載の圧力発生方法。
【請求項１６】
前記液室内のインクに作用している圧力を検出する圧力検出センサを用意しておき、
前記圧力検出センサで検出された圧力に基づいて、前記インク循環路を循環させるインクの量を変更することを特徴とする請求項１３，１４，又は１５に記載の圧力発生方法。
【請求項１７】
前記印字ヘッドから吐出されるインクの単位時間当たりの量に基づいて、前記インク循環路を循環させるインクの量を変更することを特徴とする請求項１３から１６までのうちのいずれか一項に記載の圧力発生方法。
【発明の詳細な説明】
【技術分野】
【０００１】
本発明は、インクを吐出する印字ヘッドにインクを供給するインク供給装置、及び印字ヘッド内に圧力を発生させる圧力発生方法に関する。
【背景技術】
【０００２】
印字ヘッド（記録ヘッド）から記録媒体にインクを吐出して画像を形成するインクジェット方式画像形成装置（インクジェット記録装置）が知られている。このインクジェット方式画像形成装置では、一般に、インクが吐出される複数のノズルが高密度に形成された小型の印字ヘッドを用いて高精細な画像を形成できる。また、この小型の印字ヘッドを複数配置して、各印字ヘッドに異なる色のインクを供給することにより、比較的安価で小型な構成で記録媒体にカラー画像を形成できる。インクジェット方式画像形成装置は上記のような利点を有するので、業務用、家庭用を問わず、プリンタ、ファクシミリ及び複写機など、様々な画像出力装置に用いられている。
【０００３】
上記のようなインクジェット方式画像形成装置では、印字ヘッドからのインク吐出動作を安定化させるために、印字ヘッド内のインクを所定の負圧に維持する（印字ヘッド内のインクに作用する圧力を所定の負圧に保つ）ことが重要である。このため、一般には、印字ヘッドにインクを供給するインク供給系中に負圧発生手段を備え、その負圧発生手段によって負圧を付与したインクを印字ヘッドに供給している。
【０００４】
このような負圧発生手段として、インクタンク内に収容したスポンジ状のインク吸収体の毛管作用を利用して負圧を発生する構成が知られている（例えば、特許文献１参照）。また、他の負圧発生手段として、可撓性のインクバッグと弓形ばねとを備えた構成も知られている（例えば、特許文献２参照）。さらに、他の負圧発生手段として、印字ヘッドよりも下方にインクタンクを配置しておき、水頭差を利用してインクに負圧を付与する構成も知られている（例えば、特許文献３参照）。
【０００５】
上記のような負圧発生手段によって一定の負圧が付与されたインクは、印字ヘッドからのインク吐出に伴って上昇する印字ヘッド内の負圧との差圧によって、インクタンクから印字ヘッド内に引き込まれるように供給される。この結果、印字ヘッド内が一定の負圧に保たれることになる。
【特許文献１】特開２００２−１９８８号公報
【特許文献２】特開平０６−１９８９０４号公報
【特許文献３】特開２００３−１１３８０号公報
【発明の開示】
【発明が解決しようとする課題】
【０００６】
上述したような負圧発生手段を備えたインク供給系では、上述したように、印字ヘッドからのインク吐出に伴って印字ヘッド内の負圧が上昇し、この上昇する負圧に起因した圧力差を利用して、インクタンクから印字ヘッド内にインクを引き込むように供給している。このため、単位時間当りに印字ヘッドから吐出されるインクの量が急増したときは、インクタンクから印字ヘッドへのインク供給が追いつかず、この結果、印字ヘッド内の負圧が上昇する（印字ヘッド内のインクに作用する圧力が一定の圧力よりも低い圧力となる）ことがある。この逆に、単位時間当りに印字ヘッドから吐出されるインクの量が急減したときは、インクの慣性によって印字ヘッド内の負圧が下降する（印字ヘッド内のインクに作用する圧力が一定の圧力よりも高い圧力となる）ことがある。
【０００７】
このように印字ヘッド内の負圧が変動した場合、印字ヘッドからのインク吐出動作が不安定となって、画像の記録品位の低下を招くおそれがある。特に、大判サイズの記録媒体に画像を高速で記録するような産業用の印刷装置では、単位時間当りに印字ヘッドから吐出されるインクの量が大きく変化するので印字ヘッド内の負圧が変動し易い。このため、高い記録品位の要求に応えるためにも印字ヘッド内の負圧の変動を小さく抑えることが重要となる。
【０００８】
また、同様に、大判サイズの記録媒体に画像を高速で記録するような産業用の印刷装置においてはユーザの交換するインクタンクと印字ヘッドとの間であって、この印字ヘッドよりも下方の位置にインクタンク（以下サブタンクという）を配置しておき、水頭差を利用してインクに負圧を付与する構成が広く採用されている。ところが、水頭差を利用するためにサブタンクと印字ヘッドの配置位置が上記のように限定されて制約されており、この制約から装置全体構成の自由度に少なからず影響が与えられる。
【０００９】
本発明は、上記事情に鑑み、インク容器と印字ヘッドの配置位置に関係無く、印字ヘッド内のインクに作用する圧力を適正な範囲内に保てるインク供給装置及び圧力発生方法を提供することを目的とする。
【課題を解決するための手段】
【００１０】
上記目的を達成するための本発明のインク供給装置は、インクを吐出するノズル及びこのノズルに連通する液室が形成された印字ヘッドの前記液室に供給されるインクが貯められるインク容器を備え、前記インク容器から前記液室にインクを供給するインク供給装置において、
（１）前記インク容器と前記液室を循環するインクが流れるインク循環路と、
（２）該インク循環路にインクを循環させる循環ポンプとを備えたことを特徴とするものである。
【００１１】
ここで、
（３）前記循環ポンプは、前記インク循環路に配置されたものであってもよい。
【００１２】
また、
（４）前記インク循環路は、
（４―１）前記インク容器と前記液室とを接続する第１インク循環路と、
（４―２）この第１インク循環路が接続された部分とは異なる部分で前記インク容器と前記液室とを接続する第２インク循環路とを有するものであってもよい。
【００１３】
さらに、
（５）前記第１インク循環路を開閉する開閉バルブを備えてもよい。
【００１４】
さらにまた、
（６）前記循環ポンプは、前記第１インク循環路に配置されたものであってもよい。
【００１５】
さらにまた、
（７）前記第２インク循環路を開閉する開閉バルブを備えてもよい。
【００１６】
さらにまた、
（８）前記循環ポンプは、正逆転していずれの方向にもインクを循環させるものであってもよい。
【００１７】
さらにまた、
（９）前記循環ポンプは、ギアポンプ又はチューブポンプであってもよい。
【００１８】
さらにまた、
（１０）前記循環ポンプは、前記インク循環路を循環させるインクの量を変更するものであってもよい。
【００１９】
さらにまた、
（１１）前記液室内のインクに作用している圧力を検出する圧力検出センサを備え、
（１２）前記循環ポンプは、前記圧力検出センサで検出された圧力に基づいて、前記インク循環路を循環させるインクの量を変更するものであってもよい。
【００２０】
さらにまた、
（１３）前記循環ポンプは、前記印字ヘッドから吐出されるインクの単位時間当たりの量に基づいて、前記インク循環路を循環させるインクの量を変更するものであってもよい。
【００２１】
さらにまた、
（１４）前記インク容器は、前記インク容器に貯められたインクの液面が前記印字ヘッドの前記ノズルのインク吐出口よりも上方に位置するように配置されたものであってもよい。
【００２２】
また、上記目的を達成するための本発明の圧力発生方法は、インクを吐出するノズル及びこのノズルに連通する液室が形成された印字ヘッドの前記液室に供給されるインクが貯められるインク容器を備え、前記インク容器から前記液室にインクを供給するインク供給装置における、前記印字ヘッドに圧力を発生させる圧力発生方法において、
（１５）前記インク容器と前記液室との間でインクを循環させることにより前記印字ヘッドに圧力を発生させることを特徴とするものである。
【００２３】
ここで、
（１６）循環させるインクの量を変更することにより、発生させる圧力を変更してもよい。
【００２４】
また、
（１７）インクが循環するインク循環路を、前記インク容器と前記液室とを接続する第１インク循環路と、この第１インク循環路が接続された部分とは異なる部分で前記インク容器と前記液室とを接続する第２インク循環路とで構成すると共に、前記第１インク循環路及び前記第２インク循環路にインクを循環させる循環ポンプを配置しておき、
（１８）該循環ポンプを駆動させることにより、前記第１インク循環路及び前記第２インク循環路にインクを循環させてもよい。
【００２５】
さらに、
（１９）前記液室内のインクに作用している圧力を検出する圧力検出センサを用意しておき、
（２０）前記圧力検出センサで検出された圧力に基づいて、前記インク循環路を循環させるインクの量を変更してもよい。
【００２６】
さらにまた、
（２１）前記印字ヘッドから吐出されるインクの単位時間当たりの量に基づいて、前記インク循環路を循環させるインクの量を変更してもよい。
【００２７】
なお、本明細書でいう、「記録」（画像形成とも称する）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も含むものとする。
【００２８】
また、「記録媒体」（シートとも称する）とは、一般的な記録装置で用いられる紙のみならず、広く、布、プラスチック・フィルム、金属板、ガラス、セラミックス、木材、皮革等、インクを受容可能なものも含むものとする。
【００２９】
さらに、「インク」とは、上記「記録」の定義と同様に広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を含むものとする。
【発明の効果】
【００３０】
本発明によれば、循環ポンプを駆動することによりインク循環路をインクが循環し、インク容器と液室との間でインクが循環することとなる。この循環の際に、インク循環路における圧力損失によって負圧が発生し、この負圧が液室に作用して印字ヘッド内のインク（ノズル内のインク）に作用する圧力を適正な範囲内の負圧に保てる。この結果、記録品位が向上する。また、インク容器と印字ヘッドの位置関係が限定されないので装置全体構成の自由度が向上する。さらに、印字ヘッドの液室内のインクが循環してインク容器に戻るので、液室内のインク中に存在する気泡を液室から除去できる。この結果、インクの吐出がいっそう安定する。
【発明を実施するための最良の形態】
【００３１】
本発明は、記録紙などの記録媒体にインクを吐出して画像を形成するインクジェット方式のプリンタに実現された。
【実施例１】
【００３２】
図１を参照して、本発明のインク供給装置が組み込まれたプリンタの一例を説明する。
【００３３】
図１は、本発明のインク供給装置が組み込まれたプリンタの一例を模式的に示す正面図である。
【００３４】
プリンタ１０は、このプリンタ１０に画像情報を送るホストＰＣ（パソコン）１２に接続されている。プリンタ１０には、４つ（４本）の印字ヘッド２２Ｋ、２２Ｃ、２２Ｍ、２２Ｙが記録媒体（ここではロ−ル紙）Ｐの搬送方向（矢印Ａ方向）に並んで配置されている。４つの印字ヘッド２２Ｋ、２２Ｃ、２２Ｍ、２２Ｙからはそれぞれ黒、シアン、マゼンタ、イエローの各色のインクが吐出される。これら４つの印字ヘッド２２Ｋ、２２Ｃ、２２Ｍ、２２Ｙは、所謂ラインヘッドであり、図１の紙面に直交する方向（矢印Ａ方向に直交する方向）に延びている。これら４つの印字ヘッド２２Ｋ、２２Ｃ、２２Ｍ、２２Ｙの長さは、プリンタ１０で印字できる記録媒体のうち最大の幅（図１の紙面に直交する方向の長さ）よりもやや長い。また、これら４つの印字ヘッド２２Ｋ、２２Ｃ、２２Ｍ、２２Ｙは、画像形成中は固定されて動かない。
【００３５】
４つの印字ヘッド２２Ｋ、２２Ｃ、２２Ｍ、２２Ｙから安定してインクを吐出できるように、プリンタ１０には、回復ユニット４０が組み込まれている。この回復ユニット４０によって、印字ヘッド２２Ｋ、２２Ｃ、２２Ｍ、２２Ｙからのインク吐出状態は初期のインク吐出状態に回復する。回復ユニット４０には、回復動作のときに４つの印字ヘッド２２Ｋ、２２Ｃ、２２Ｍ、２２Ｙのインク吐出口形成面２２Ｋｓ、２２Ｃｓ、２２Ｍｓ、２２Ｙｓからインクを除去するキャッピング機構５０が備えられている。キャッピング機構５０は各印字ヘッド２２Ｋ、２２Ｃ、２２Ｍ、２２Ｙに独立して設けられており、図１の例では６色分（即ち、６つのキャッピング機構５０）が示されているが、このうち２色分は印字ヘッド追加時の予備的な機構である。キャッピング機構５０は、周知のブレード、インク除去部材、ブレード保持部材、キャップ等から構成されている。
【００３６】
ロ−ル紙Ｐはロール紙供給ユニット２４から供給され、プリンタ１０に組み込まれた搬送機構２６によって矢印Ａ方向に搬送される。搬送機構２６は、ロ−ル紙Ｐを載置して搬送する搬送ベルト２６ａ、この搬送ベルト２６ａを回転させる搬送モータ２６ｂ、搬送ベルト２６ａに張力を与えるローラ２６ｃなどから構成されている。
【００３７】
ロ−ル紙Ｐに画像を形成する際には、搬送中のロ−ル紙Ｐの記録開始位置がブラックの印字ヘッド２２Ｋの下に到達した後に、記録データ（画像情報）に基づいて印字ヘッド２２Ｋからブラックインクを選択的に吐出する。同様に印字ヘッド２２Ｃ、印字ヘッド２２Ｍ、印字ヘッド２２Ｙの順に、各色のインクを吐出してカラー画像をロ−ル紙Ｐに形成する。プリンタ１０には、上記の部品・部材の他、各印字ヘッド２２Ｋ、２２Ｃ、２２Ｍ、２２Ｙに供給されるインクを貯めておくメインタンク２８Ｋ、２８Ｃ、２８Ｍ、２８Ｙや、印字ヘッド２２Ｋ、２２Ｃ、２２Ｍ、２２Ｙにインクを供給したり回復動作をしたりするための各種ポンプ（図３等参照）などが備えられている。上記した各種ポンプなどによって本発明のインク供給装置の一例が構成されている。
【００３８】
図２を参照して、プリンタ１０の電気的な系統を説明する。
【００３９】
図２は、図１のプリンタの電気的な系統を示すブロック図である。
【００４０】
ホストＰＣ１２から送信された記録データやコマンドはインターフェイスコントローラ１０２を介してＣＰＵ１００に受信される。ＣＰＵ１００は、プリンタ１０の記録データの受信、記録動作、ロ−ル紙Ｐのハンドリング等全般の制御を掌る演算処理装置である。ＣＰＵ１００では、受信したコマンドを解析した後に、記録データの各色成分のイメージデータをイメージメモリ１０６にビットマップ展開して描画する。記録前の動作処理としては、出力ポート１１４、モータ駆動部１１６を介してキャッピングモータ１２２とヘッドアップダウンモータ１１８を駆動し、各印字ヘッド２２Ｋ、２２Ｃ、２２Ｍ、２２Ｙをキャッピング機構５０から離して記録位置（画像形成位置）に移動させる。
【００４１】
続いて、出力ポート１１４、モータ駆動部１１６を介してロ−ル紙Ｐを繰り出すロールモータ（図示せず）、及び低速度でロ−ル紙Ｐを搬送する搬送モータ１２０等を駆動してロ−ル紙Ｐを記録位置に搬送する。一定速度で搬送されるロ−ル紙Ｐにインクを吐出し始めるタイミング（記録タイミング）を決定するための先端検知センサ（図示せず）でロ−ル紙Ｐの先端位置を検出する。その後、ロ−ル紙Ｐの搬送に同期して、ＣＰＵ１００はイメージメモリ１０６から対応する色の記録データを順次に読み出し、この読み出したデータを各印字ヘッド２２Ｋ、２２Ｃ、２２Ｍ、２２Ｙに印字ヘッド制御回路１１２経由して（介して）転送する。
【００４２】
ＣＰＵ１００の動作はプログラムＲＯＭ１０４に記憶された処理プログラムに基づいて実行される。プログラムＲＯＭ１０４には、制御フローに対応する処理プログラム及びテーブルなどが記憶されている。また、作業用のメモリとしてワークＲＡＭ１０８を使用する。各印字ヘッド２２Ｋ、２２Ｃ、２２Ｍ、２２Ｙのクリーニングや回復動作時に、ＣＰＵ１００は、出力ポート１１４、モータ駆動部１１６を介してポンプモータ１２４を駆動し、インクの加圧、吸引等の制御を行う。
【００４３】
図３から図５までを参照して、プリンタ１０に組み込まれたインク供給装置について説明する。
【００４４】
図３は、インクジェット方式画像形成装置に組み込まれたインク供給装置を示す模式図である。図４は、印字ヘッドをクリーニングする際の手順を示すフロー図である。図５は、インク吐出面からインクを拭き取る手順を示す模式図であり、（ａ）は拭き取り開始前を示し、（ｂ）は、拭き取り終了直後を示し、（ｃ）は、拭き取り終了後の待機状態を示す。図３では、印字ヘッド２２Ｋにインクを供給したり、この印字ヘッド２２Ｋを回復させたりするためのインク供給装置を示すが、他の印字ヘッド２２Ｃ、２２Ｍ、２２Ｙについても同じ構成のインク供給装置が備えられている。また、図３と図５では、図１と図２に示す構成要素と同一の構成要素には同一の符号が付されている。
【００４５】
プリンタ１０（図１参照）には、印字ヘッド２２Ｋにインクを供給するインク供給装置６０が組み込まれている。インク供給装置６０は、プリンタ１０の本体に着脱自在なインクタンク７０と、このインクタンク７０と印字ヘッド２２Ｋとをつなぐインク供給路６２の途中に配置されたサブタンク８０などから構成されている。サブタンク８０の下に印字ヘッド２２Ｋが配置されている。サブタンク８０に貯められたインクの液面は、印字ヘッド２２Ｋのノズル２２Ｋｎのインク吐出口よりも上方に位置する。
【００４６】
サブタンク８０と印字ヘッド２２Ｋは、２つのインク流路６４，６６で接続されて（つながれて）いる。インク流路６４は、本発明にいう第１インク循環路の一例であり、インク流路６６は、本発明にいう第２インク循環路の一例である。サブタンク８０と印字ヘッド２２Ｋは同一のフレーム（図示せず）に固定されており、印字ヘッド２２Ｋと共にサブタンク８０及びインク流路６４，６６は移動する。
【００４７】
インク流路６４は、サブタンク８０の底部と印字ヘッド２２Ｋの液室（インクが貯められる部屋）２２Ｋｒの上部とを接続する。一方、インク流路６６は、インク流路６４が接続された部分とは異なる部分でサブタンク８０の底部と印字ヘッド２２Ｋの液室２２Ｋｒの上部とを接続する
【００４８】
インク流路６４には、サブタンク８０と液室２２Ｋｒの間でインクを循環させる循環ポンプ６８が取り付けられている。循環ポンプ６８を駆動させることにより、サブタンク８０内のインクは、インク流路６４を通って液室２２Ｋｒに流れ込み、さらに液室２２Ｋｒからインク流路６６を通ってサブタンク８０に戻り、さらに、インク流路６４に流れ込んで循環する。循環ポンプ６８の駆動を逆にすることにより、サブタンク８０内のインクは、インク流路６６を通って液室２２Ｋｒに流れ込み、さらに液室２２Ｋｒからインク流路６４を通ってサブタンク８０に戻り、さらに、インク流路６６に流れ込んで循環する。上記のように循環ポンプ６８は正逆転するものであり、いずれの方向にもインクを循環させられる。なお、循環ポンプ６８は、印字ヘッド２２Ｋをクリーニングする際にも使用される。
【００４９】
また、インク流路６４には、所定のタイミングでインク流路６４を開閉する待機バルブ６９が取り付けられている。一方、インク流路６６には、所定のタイミングでインク流路６６を開閉する加圧バルブ６７が取り付けられている。インク流路６６のうち加圧バルブ６７とサブタンク８０の間の部分には、インク流路６６内のインク圧力を検出する圧力検出センサ８１が取り付けられている。
【００５０】
サブタンク８０の上壁には、サブタンク８０の内部圧力を大気圧にするための大気開放バルブ８４が固定されている。この大気開放バルブ８４を開放することにより、サブタンク８０の内部圧力は大気圧に等しくなる。また、サブタンク８０には、このサブタンク８０に貯められているインク（貯蔵インク）の液面レベルを検知する周知の液面検知センサ８６が取り付けられている。液面検知センサ８６が、サブタンク８０内のインク液面が一定レベル以下になったと検知したときは、供給ポンプ７２が稼動し始めてインクタンク７０からインクが吸引されてサブタンク８０に供給される。一方、液面検知センサ８６が、サブタンク８０内のインク液面が予め決められている上限レベルになったと検知したときは、供給ポンプ７２が停止してインクの供給は停止される。
【００５１】
インクタンク７０には、このインクタンク７０内のインクの有無を検出する検出センサ（図示せず）が取り付けられている。また、プリンタ１０の本体にインクタンク７０を装着するときに接続されるエア−流路には、インクタンク７０の内部圧力を大気圧にするための大気開放バルブ７４が取り付けられている。
【００５２】
印字ヘッド２２Ｋのクリ−ニング動作について説明する。
【００５３】
ここでいうクリ−ニング動作とは、印字ヘッド２２Ｋのインク吐出品位を継続的に維持するために行われる動作をいい、経過時間や吐出状況等の条件を満たした場合、又は、画像品位に異状が見られる場合等に自動的に若しくは任意で実施される。
【００５４】
図４のフローに示すように、クリーニング動作は、クリーニング指令を受信することにより開始される（Ｓ４０１）。クリーニング指令を受信した後、大気開放バルブ８４、加圧バルブ６７、待機バルブ６９が順次に開放される（Ｓ４０２〜Ｓ４０４）。続いて、循環ポンプ６８が作動して（矢印Ｃ方向の回転）（Ｓ４０５）、サブタンク８０からインク流路６４を経由して印字ヘッド２２Ｋにインクが圧送される。このインクの圧送によって、記録動作中等にフィルタ−９０のサブタンク８０側に溜まった泡を再びサブタンク８０へ押し流す。
【００５５】
循環ポンプ６８を一定時間だけ作動させた後、加圧バルブ６７を閉めて（Ｓ４０６）インク流路６６を遮断する（閉じる）。これにより印字ヘッド２２Ｋの液室２２Ｋｒに大きな正圧力が加わる（作用する）。この大きな正圧力によって、印字ヘッド２２Ｋの各ノズル２２Ｋｎからはインクが排出されて、このノズル２２Ｋｎやその周辺部に存在する泡やゴミ等の異物が除去される。
【００５６】
さらに一定時間経過後、循環ポンプ６８を停止させ（Ｓ４０７）、待機バルブ６９と大気開放バルブ８４を順に閉じる（Ｓ４０８、Ｓ４０９）。なお、この状態では印字ヘッド２２Ｋの各ノズル２２Ｋｎの開口を含むフェイス面２２Ｋｓにインクが付着して汚れた状態である。この汚れを除去するために、図５に示すように、キャッピング機構５０に固定されたワイパー５２でフェイス面２２Ｋｓを拭く。この動作の際は、先ず、図５（ａ）に示すように、印字ヘッド２２Ｋが回復キャップ５４の上方に移動する（Ｓ４１０）。続いて、回復キャップ５４が矢印Ｂ方向に移動することにより、図５（ｂ）に示すように、フェイス面２２Ｋｓに付着しているインクなどの汚れがワイパー５２で拭き取られる（Ｓ４１１）。この動作はワイピング動作と呼ばれる。ワイピング動作終了後は、図５（ｃ）に示すように、印字ヘッド２２Ｋは再びキャッピングされて待機状態となる（Ｓ４１２）。この待機状態にある印字ヘッド２２Ｋはフェイス面２２Ｋｓを回復キャップ５４でキャッピングされている（塞がれている）ので、ノズル２２Ｋｎにあるインクの増粘が防止される。なお、印字ヘッド２２Ｋから排出されたインク（廃インク）は回復キャップ５４に受けられて吸引ポンプ９２（図３参照）によって吸引される。この廃インクはフィルター９４（図３参照）で濾過されて異物が除去された（スクリ−ニングした）後にインクタンク７０に再び戻される。また、上記したワイピング動作だけが適宜のタイミングで実施されることがある。
【００５７】
図６と図７を参照して、循環ポンプ６８によって印字ヘッド２２Ｋ内の圧力を調整する技術について説明する。
【００５８】
図６は、インク供給装置を示す拡大図である。図７は、インクが循環する循環路における圧力の遷移を示す圧力遷移図である。これらの図では、図３に示す構成要素と同一の構成要素には同一の符号が付されている。なお、図７の圧力遷移図とは、循環ポンプ６８を含むインク循環路を水平展開して各部における圧力を表したものである。また、図７における矢印の上の符号（数字）は各部材を表し（例えば６８は循環ポンプを表す）、矢印の左側（循環ポンプ６８では６８ＩＮ）がインク流入側の圧力であり、右側（循環ポンプ６８では６８ＯＵＴ）がインク流出側の圧力である。
【００５９】
上記した加圧バルブ６７、待機バルブ６９、及び大気開放バルブ８４としては、図６に示すように、ソレノイドのプランジャー１３０に一体化されたバルブシ−ト１３２によってインク流路の遮断を行う電磁バルブが採用されるが、本発明においてはこれらの方式を何ら限定するものではなく他の方式のものを採用しても何ら問題無い。また、循環ポンプ６８としてはギアポンプを用いたが、チューブポンプや、他の方式のポンプを用いてもよい。
【００６０】
記録時には印字ヘッド２２Ｋに適正な負圧を付与する（印字ヘッド２２Ｋのインク吐出口（ノズルの出口）においてインクのメニスカスが形成されるような圧力をインクに与える）必要がある。この場合、加圧バルブ６７、待機バルブ６９、及び大気開放バルブ８４は開放状態にある。この状態で循環ポンプ６８が矢印Ｄ方向に回転するように駆動させることにより、サブタンク８０内のインクはサブタンク８０から順に、加圧バルブ６７、フィルタ９０、印字ヘッド２２Ｋの液室２２Ｋｒ、フィルタ９１、待機バルブ６９、循環ポンプ６８を経て再びサブタンク８０に戻される。
【００６１】
上記のように循環するインクの各部（例えば循環ポンプ６８のインク吸引側６８ＩＮとインク排出側６８ＯＵＴ）における圧力は、図７に示すように、サブタンク８０から始まるインク循環路においては、バルブ６７，６９、フィルタ９０，９１など、圧力損失が生じる部材にかかる度に負圧が大きくなり、循環ポンプ６８のインク流入（吸引）側６８ＩＮで最大となる。この循環ポンプ６８によってインクは正圧を付与されサブタンク８０に圧送されて戻される。
【００６２】
上記の図７に示される圧力遷移図における圧力（負圧）は循環ポンプ６８の流量（循環するインクの流量）にほぼ比例し増減する。このため、この流量を制御することにより、印字ヘッド２２Ｋに付与する（作用する）圧力（図７ではＱ〜Ｒの範囲内の負圧）を制御できる。また、印字ヘッド２２Ｋの液室２２Ｋｒにおいては、液室２２Ｋｒ内の流路断面積を広くするなどの工夫をすることにより、この液室２２Ｋｒ内における圧力損失（Ｑ―Ｒ）を抑制できるので、液室２２Ｋｒに連通する複数のノズルに渡って一定した圧力（負圧）を付与できる。
【００６３】
図８から図１１までを参照して、待機モ−ドから記録動作までの手順を説明する。
【００６４】
図８は、待機モ−ドから記録動作までの手順を示すフロー図である。図９（ａ）は、回復キャップにキャッピングされた印字ヘッドを示す模式図であり、（ｂ）は、記録動作中の印字ヘッドの位置を示す模式図である。図１０（ａ）は、水頭差だけに起因するインク循環路での圧力を示すグラフであり、（ｂ）は、循環ポンプを用いたときのインク循環路での圧力を示すグラフである。図１１は、印刷デューティ（吐出デューティ）が０％と１００％のときにおけるインク循環路での圧力を示すグラフである。図１０及び図１１における符号は、図７における符号と同じものである。
【００６５】
待機モ−ド時に印字指令を受信することにより（Ｓ８０１）、大気開放バルブ８４が開放される（Ｓ８０２）。続いて、加圧バルブ６７が開いてインク流路６６が開放される（Ｓ８０３）。本実施例ではサブタンク８０が印字ヘッド２２Ｋの上方に配置されているので、大気開放バルブ８４と加圧バルブ６７が開くことにより印字ヘッド２２Ｋのノズル２２Ｋｎには水頭圧力ｈ１（図１０（ａ）参照）が作用し、サブタンク８０からインク流路６６を通って印字ヘッド２２Ｋにインクが流れ込もうとする。ここで、待機バルブ６９を開いて（Ｓ８０４）循環ポンプ６８を作動させることにより（Ｓ８０５）、上記の負圧が発生するので、水頭圧力ｈ１（図１０（ａ）参照）が消滅して、図１０（ｂ）に示すように、印字ヘッド２２Ｋのノズル２２Ｋｎには負圧ｈ２が付与される（作用する）。この結果、上述したように、印字ヘッド２２Ｋ内のインクに負圧が与えられてインク吐出口においてインクのメニスカスが形成されることとなる。
【００６６】
続いて、印字ヘッド２２Ｋをワイピング位置へ移動させて（Ｓ８０６）、図４と図５を参照して説明したワイピング動作を実施し（Ｓ８０７）、その後、図９（ｂ）に示すように、印字ヘッド２２Ｋを降下させて記録位置に移動させる（Ｓ８０８）。上述したようにサブタンク８０、インク流路６４，６６、及び印字ヘッド２２Ｋは同一のフレームに固定されているので、印字ヘッド２２Ｋが降下してもインク流路６４，６６は確保されたままであり、印字ヘッド２２Ｋには上記の負圧ｈ２が作用したままである。また、これらが同一フレームに取り付けられていない場合であっても、相対的な位置関係が変化しなければ同様に負圧ｈ２は維持される。
【００６７】
上記のように印字ヘッド２２Ｋが降下して所定の記録位置に達した後、記録動作（画像形成）が実行される（Ｓ８０９）。この記録動作の終了後、図９（ａ）に示すように、印字ヘッド２２Ｋは上昇して回復キャップ５４によってキャッピングされる（Ｓ８１０）。その後、循環ポンプ６８の作動を停止し（Ｓ８１１）、続いて、待機バルブ６９を閉めて（Ｓ８１２）加圧バルブ６７を閉め（Ｓ８１３）、さらに大気開放バルブ８４を閉めて（Ｓ８１４）再び待機モ−ドとなって、このフローを終了する。
【００６８】
ところで、記録動作中はノズル２２Ｋｎからインクが吐出するので、液室２２Ｋｒからノズル２２Ｋｎにインクが供給されて液室２２Ｋｒ内のインクが減少する。この場合、記録スピ−ド（印字速度）に連動した印字ヘッド２２Ｋの吐出周波数、及び形成画像に依存ずる印字ヘッド２２Ｋのノズル全体に対する吐出ノズルの割合（印刷デューティ）に応じてインクの流れが発生し、インク循環路（インク流路６４，６６）を流れるインク量が変動することに起因して、印字ヘッド２２Ｋのノズル２２Ｋｎに作用する圧力が変動する。
【００６９】
ここで、ある一定の吐出周波数でインクを吐出すると仮定した場合、非吐出である印刷デューティ０％（全ノズルからインクを吐出しない）時の圧力遷移線１００１と、印刷デューティ１００％（全ノズルからインクを吐出する）時の圧力遷移線１００２に挟まれる範囲内で印字ヘッド２２Ｋのノズル２２Ｋｎ内の圧力は変動する。この圧力変動は印字ヘッド２２Ｋのインク吐出状態に影響を及ぼすので、循環ポンプ６８で循環させるインクの流量を制御することにより上記の圧力変動を抑制できる。この制御について説明する。
【００７０】
ノズル２２Ｋｎから単位時間当たりに吐出するインクの量が低減していく場合は、循環ポンプ６８の回転数を上げて、循環するインクの量（インク流量）を増加させる。これにより、液室２２Ｋｒ内の負圧（すなわち、ノズル２２Ｋｎ内の負圧）が大きくなる（負圧が上昇する）。従って、インク吐出量の低減に伴う印字ヘッド２２Ｋ内の負圧の下降が抑えられるので、印字ヘッド２２Ｋ内を一定の負圧に保てる。
【００７１】
一方、ノズル２２Ｋｎから単位時間当たりに吐出するインクの量が増加していく場合は、循環ポンプ６８の回転数を下げて、循環するインクの量（インク流量）を減少させる。また、単位時間当たりのインクの吐出量が特に多い場合には循環ポンプ６８の作動を停止もしくは逆転させる。これにより、液室２２Ｋｒ内の負圧（すなわち、ノズル２２Ｋｎ内の負圧）が小さくなる（負圧が下降する）。従って、印字ヘッド２２Ｋ内が過度に負圧になることが防止される。上記のような制御をすることによりノズル２２Ｋｎに常に適切な負圧を付与できる。
【００７２】
上記のような制御を実施するためには、印字ヘッド２２Ｋ内の圧力の変動を検出するために圧力検出センサ８１（図３等参照）を液室２２Ｋｒ中に配置しておき、この圧力検出センサ８１の検出値を循環ポンプ６８の駆動回路にフィ−ドバックさせる方法が考えられる。すなわち、圧力検出センサ８１で検出された圧力に基づいて循環ポンプ６８の回転数を制御して、印字ヘッド２２Ｋ内の圧力を調整する。この調整については、図１２と図１３を参照して後述する。なお、圧力検出センサ８１は、検出値と液室２２Ｋｒに実際に加わる圧力との相関関係が明らかになっており、それが制御テーブルに反映されていれば、循環路中の他の場所に配置してもよい。
【００７３】
また、形成画像及びインク吐出の頻度（周波数）に基づいて循環ポンプ６８の最適な駆動テ−ブルを予め作成しておき、この駆動テ−ブルに基づいて循環ポンプ６８を駆動させる方法が考えられる。すなわち、印字ヘッド２２Ｋから吐出されるインクの単位時間当たりの量に基づいて循環ポンプ６８の回転数を制御して、印字ヘッド２２Ｋ内の圧力を調整する。なお、印字ヘッド２２Ｋ内の圧力変動に起因するノズル２２Ｋｎからのインク吐出状態の変化が形成画像の品位上問題のないレベルであれば、循環ポンプ６８は一定条件での作動を行ってもよい。
【００７４】
上記した圧力検出センサ８１で検出された圧力に基づいて循環ポンプ６８の回転数を制御して、印字ヘッド２２Ｋ内の圧力を調整する技術について図１２と図１３を参照して詳細に説明する。
【００７５】
図１２は、図６のインク供給装置が動作する際の一例を示すタイムチャートである。図１３は、図６のインク供給装置が動作する手順の一例を示すフロー図である。
【００７６】
先ず、図１２を参照して、図６のインク供給装置の動作を、印字ヘッド２２Ｋの印刷デューティと印字ヘッド２２Ｋに作用する圧力との観点から説明する。
【００７７】
印字ヘッド２２Ｋからインクを吐出しない非吐出時の状態（印刷デューティＯＦＦ（０％）の状態）３０１にあって、循環ポンプ６８は印字ヘッド２２Ｋをインク吐出動作可能な状態とするために、符号３０２で示すように循環ポンプ６８が一定圧力を発生するようにし、符号３０３で示すように印字ヘッド２２Ｋの圧力を制御する。印字ヘッド２２Ｋからインク吐出を開始する場合（符号３０４）は、このインク吐出に先立って循環ポンプ６８が発生する圧力を大気圧（０ｍｍＡｑ）に予め近づける（負圧を減らす）（符号３０６、３０５）。また、印刷が開始された後も、印刷デューティの変化に応じてポンプ発生圧力の調整を行う。これらにより、インク吐出による圧力変化を緩和し、負圧が好ましいインク吐出可能領域内３０７に制御されるようにする。ここで、大気圧に近づけてもインク吐出可能領域内３０７に収まらない場合は、循環ポンプ６８を正転（インク供給方向へ回転）させて、大気圧よりも高い圧力状態（正圧）３１１になるように制御する。逆に、印刷デューティが減少する場合（符号３１０）は、ポンプ発生圧力を負圧にする（符号３０９）。
【００７８】
以上のような印刷デューティに基づいて循環ポンプ６８の駆動を制御することにより、インクの慣性力に起因した印刷デューティの変化への応答の遅れによって不規則な圧力変化（符号３０８）は見られるものの、概ね負圧が好ましいインク吐出可能領域内３０７に制御されるようになる。
【００７９】
図１３を参照して圧力制御の手順の一例を示す。この手順は、図２に示したプリンタの制御系の構成にあっては、ＲＯＭ１０４に格納されたプログラム等に従ってＣＰＵ１００が実行する。
【００８０】
まず、印刷データの有無を確認し（Ｓ１３０１）、印刷データがある場合は、循環ポンプ６８を回転させ始め（Ｓ１３０２）、印刷を開始する（Ｓ１３０３）。続いて、上記の圧力検出センサ８１で圧力を検出する（Ｓ１３０４）。この検出された圧力が所定範囲内のときは、循環ポンプ６８をそのまま回転させて印刷を続行し、印刷が終了したか否かが判定される（Ｓ１３０５）。印刷が終了したと判定されたときは、このフローを終了する。印刷が終了していないと判定されたときは、Ｓ１３０４に戻って、再び、上記の圧力検出センサ８１で圧力を検出する（Ｓ１３０４）。
【００８１】
Ｓ１３０４において検出された圧力が所定の下限値よりも高い場合は、印字ヘッド２２Ｋ内の圧力が大気圧よりも高くなるおそれがあるので、循環ポンプ６８の回転数を速めることにより印字ヘッド２２Ｋ内の圧力が上記の所定範囲内になるように制御し（Ｓ１３０６）、印刷が終了したか否かが判定される（Ｓ１３０５）。印刷が終了したと判定されたときは、このフローを終了する。印刷が終了していないと判定されたときは、Ｓ１３０４に戻って、再び、上記の圧力検出センサ８１で圧力を検出する（Ｓ１３０４）。
【００８２】
Ｓ１３０４において検出された圧力が所定の下限値よりも低い場合は、印字ヘッド２２Ｋ内の圧力が大気圧よりもかなり低くなりインクが吐出しないおそれがあるので、循環ポンプ６８の回転数を下げて（遅くして）印字ヘッド２２Ｋ内の圧力が上記の所定範囲内になるように制御し（Ｓ１３０７）、印刷が終了したか否かが判定される（Ｓ１３０５）。印刷が終了したと判定されたときは、このフローを終了する。印刷が終了していないと判定されたときは、Ｓ１３０４に戻って、再び、上記の圧力検出センサ８１で圧力を検出する（Ｓ１３０４）。
【００８３】
なお、以上のようなソフトウエアの処理によらず、画像データの構成ビットを計数するカウンタと、そのカウント値に基づいて循環ポンプ６８を駆動するモータの制御を行う手段とをハードウエアにより構成することもできる。また、印刷の進捗に応じて印刷デューティが変化した時に制御を行うのではなく、予め印刷データに基づいてポンプの制御曲線を定め、これに基づいてフィードフォワード的にポンプ制御を行うようにしてもよい。
【００８４】
ところで、インクを吐出させる為のエネルギーとして発熱素子から発生される熱エネルギーを用いた所謂バブルジェット記録方式を採用した印字ヘッドや、他のインク吐出方式（例えば、圧電素子を用いた方式等）の印字ヘッドでは、インク吐出の際にノズル内に生成した泡の残泡、インク中の溶存ガスの溶出物などが液室などに滞留してインクの吐出に悪影響を与えるおそれがある。本発明では画像形成中に、印字ヘッド２２Ｋの液室２２Ｋｒを含むインク流路内でインクを循環させるので、上記の泡はフィルタ９０，９１で捕集されてサブタンク８０に運ばれ、このサブタンク８０でインクから分離される。このため、泡などが液室２２Ｋｒ内に累積して堆積することが無く、継続的に安定してインクが吐出される。
【００８５】
以上説明したように、インク供給装置６０によれば、循環ポンプ６８を駆動することによりインク流路６４，６６をインクが循環し、サブタンク８０と液室２２Ｋｒとの間でインクが循環することとなる。この循環の際に、インク流路６４，６６における圧力損失によって負圧が発生し、この負圧が液室２２Ｋｒに作用して印字ヘッド２２Ｋ内のインク（ノズル２２Ｋｎ内のインク）に作用する圧力を適正な範囲内の負圧に保てる。この結果、記録品位が向上する。また、サブタンク８０と印字ヘッド２２Ｋの位置関係が限定されないので装置全体構成の自由度が向上する。さらに、印字ヘッド２２Ｋの液室２２Ｋｒ内のインクが循環してサブタンク８０に戻るので、液室２２Ｋｒ内のインク中に存在する気泡を液室２２Ｋｒから除去できる。この結果、インクの吐出がいっそう安定する。
【実施例２】
【００８６】
上記した実施例１では、印字ヘッド２２Ｋよりも上方にサブタンク８０が配置されているが、本発明ではこのような配置に限定するものではない。この例として、印字ヘッド２２Ｋよりも下方にサブタンク８０が配置されたインク供給装置１６０について図１４を参照して説明する。
【００８７】
図１４は、実施例２のインク供給装置を示す模式図である。この図では、図３に示す構成要素と同一の構成要素には同一の符号が付されている。
【００８８】
実施例２のインク供給装置１６０では、印字ヘッド２２Ｋよりも下方にサブタンク８０が配置されている。このような位置関係であっても、印字ヘッド２２Ｋ内を適正な負圧に保つために外部から正圧力を与えるような場合においては循環ポンプ６８を利用できる。
【００８９】
また、上記のように印字ヘッド２２Ｋとサブタンク８０の位置関係に拘らず循環ポンプ６８によって印字ヘッド２２Ｋ内を適切な負圧に保てるので、従来の水頭差による差圧に頼った装置等と比較して、サブタンク８０の設置位置の規制を受けることがなく、装置の設計自由度も向上する。
【実施例３】
【００９０】
実施例1においては循環ポンプ６８を駆動させることにより、サブタンク８０と液室２２Ｋｒの間で循環するインクの流量を変化させ、印字ヘッド２２Ｋに付与する圧力を制御する例を述べたが、本発明ではインク流路６４，６６の圧力損失を可変にすることによっても、印字ヘッド２２Ｋに付与する圧力を制御できる。
【００９１】
具体的には、実施例1の構成において、加圧バルブ６７（図６等参照）として、印加電圧によりプランジャ−１３０（図６等参照）のストロ−ク量が変位する比例電磁弁を用いる。プランジャー１３０の一端にはバルブシ−ト１３２が取り付けられており、そのストロ−ク量を制御することによってインク流路６６の流路断面積を可変でき、いわゆる可変流抵抗体とすることで印字ヘッド２２Ｋの液室２２Ｋｒに付与する負圧量を制御する。この構成においては、循環ポンプ６８の流量を一定として圧力制御が可能である。また、循環ポンプ６８及び加圧バルブ６７（比例電磁弁）双方によって圧力を制御してもよい。このような構成であっても実施例１と同様の効果を得られる。
【００９２】
なお、循環ポンプを含むインク循環路を備え、循環ポンプの作動時にインク循環路がもつ圧力損失によって発生した負圧を印字ヘッドに付与するシステムであれば本発明に包容される。また、インクを吐出する為のエネルギーとして発熱素子から発生される熱エネルギーを用いた、いわゆるバブルジェット記録方式を採用したインクジェット記録ヘッドに本発明を適用した場合を例に挙げて説明したが、本発明には他の方式（例えば、圧電素子を用いた方式等）のインクジェット記録ヘッドにも適用できることは明らかである。
【００９３】
また、本発明に係るインク供給装置を用いて記録媒体に画像を記録する（画像形成する）インクジェット方式画像形成装置の機械的構成としては、印字ヘッドを搭載したキャリッジを移動させる間に画像形成するシリアル記録方式であっても、記録媒体の幅に対応した長さの印字ヘッドに対して記録媒体を相対的に移動させながら画像形成するフルライン記録方式であってもよい。
【図面の簡単な説明】
【００９４】
【図１】本発明のインク供給装置が組み込まれたプリンタの一例を模式的に示す正面図である。
【図２】図１のプリンタの電気的な系統を示すブロック図である。
【図３】インクジェット方式画像形成装置に組み込まれたインク供給装置を示す模式図である。
【図４】印字ヘッドをクリーニングする際の手順を示すフロー図である。
【図５】インク吐出面からインクを拭き取る手順を示す模式図であり、（ａ）は拭き取り開始前を示し、（ｂ）は、拭き取り終了直後を示し、（ｃ）は、拭き取り終了後の待機状態を示す。
【図６】インク供給装置を示す拡大図である。
【図７】インクが循環する循環路における圧力の遷移を示す圧力遷移図である。
【図８】待機モ−ドから記録動作までの手順を示すフロー図である。
【図９】（ａ）は、回復キャップにキャッピングされた印字ヘッドを示す模式図であり、（ｂ）は、記録動作中の印字ヘッドの位置を示す模式図である。
【図１０】（ａ）は、水頭差だけに起因するインク循環路での圧力を示すグラフであり、（ｂ）は、循環ポンプを用いたときのインク循環路での圧力を示すグラフである。
【図１１】印刷デューティ（吐出デューティ）が０％と１００％のときにおけるインク循環路での圧力を示すグラフである。
【図１２】図６のインク供給装置が動作する際の一例を示すタイムチャートである。
【図１３】図６のインク供給装置が動作する手順の一例を示すフロー図である。
【図１４】実施例２のインク供給装置を示す模式図である。
【符号の説明】
【００９５】
１０  プリンタ
２２Ｋ、２２Ｃ、２２Ｍ、２２Ｙ  印字ヘッド
２２Ｋｒ  印字ヘッド２２Ｋの液室
６０  インク供給装置
６４，６６  インク流路
６７  加圧バルブ
６８  循環ポンプ
６９  待機バルブ
７０  インクタンク
８０  サブタンク
８１  圧力検出センサ
【図１】
2006159811.tif 000003
【図２】
2006159811.tif 000004
【図３】
2006159811.tif 000005
【図４】
2006159811.tif 000006
【図５】
2006159811.tif 000007
【図６】
2006159811.tif 000008
【図７】
2006159811.tif 000009
【図８】
2006159811.tif 000010
【図９】
2006159811.tif 000011
【図１０】
2006159811.tif 000012
【図１１】
2006159811.tif 000013
【図１２】
2006159811.tif 000014
【図１３】
2006159811.tif 000015
【図１４】
2006159811.tif 000016